(57)【要約】【課題】  トイレや浴室などの給排水設備との接続がきわめて容易であって、建築構造体に形成された給排水管の挿通孔などから雨水などが浸入する危険性が殆んどなく、しかも施工が容易な給排水管の接続構造を提供する。【解決手段】  所要の大きさのパネル主体２と、屋内に設置される給排水設備と屋外に配設される給排水管とを接続するための１以上のスリーブ３，４，５とからなるものであって、前記スリーブ３，４，５は、屋外側に位置する先端部の近傍にフランジ３ａ，4ａ，５ａが一体的に形成され、前記フランジの表面がパネル主体２の表面に位置するよう、前記スリーブ３，４，５をパネル主体２に貫通固着して給排水管の接続構造１とする。【選択図】      図１
2005133836.tif 000002
【特許請求の範囲】
【請求項１】
所要の大きさのパネル主体と、屋内に設置される給排水設備と屋外に配設される給排水管とを接続するための１以上のスリーブとからなるものであって、
前記スリーブは、屋外側に位置する先端部の近傍にフランジが一体的に形成され、
前記フランジの表面がパネル主体の表面に位置するよう、前記スリーブをパネル主体に貫通固着したこと
を特徴とする給排水管の接続構造。
【請求項２】
前記パネル主体は、
表面に突出したスリーブのフランジを覆って表面に防水シートが張設されること
を特徴とする請求項１に記載の給排水管の接続構造。
【請求項３】
前記パネル主体は、
構造用合板または構造用パネルからなること
を特徴とする請求項１に記載の給排水管の接続構造。
【発明の詳細な説明】
【技術分野】
【０００１】
この発明は、戸建住宅などにおける給排水管の接続構造に関するものである。
【背景技術】
【０００２】
たとえば、戸建住宅などにおいては、トイレ、浴室、台所などにおける給排水管の設置に関し、特開平５−２６３５１６号公報（特許文献１）に見られるように、室内に配置された水洗便器に対し、給水管ならびに配水管を直接屋外に引き出すことによって、屋内配管の外部露出による美観の低下や、躯体内に配管を埋設することによる作業の煩瑣さ、さらには維持管理の困難性を解消している。
【０００３】
しかしながら、給排水管を屋外に配置することは、躯体に形成した配管用の取付け孔から雨水などが躯体内に浸入するおそれがあるので、雨水などの躯体内への浸入を防止する手段として、特開平６−２６５０５８号公報においては、屋外配管カバーを建屋の側壁に設けた開口部に接続する屋外配管カバーの建屋への接続構造において、前記側壁と前記屋外配管カバーとの接続部分には、該接続部分を覆うシール用カバーが装着され、該シール用カバーにより画成された空間にコーキング材が充填されていることを特徴とする屋外配管カバーの建屋への接続構造が提案されている。
【０００４】
また、特開平８−４９５１号公報においては、屋外配管カバーを建屋の側壁に設けた開口部に接続する屋外配管カバーの建屋への接続構造において、前記側壁と前記屋外配管カバーとの接続部分には、該接続部分を覆うシール用カバーが装着され、該シール用カバーにより画成された空間に、コーキング材が充填されていることを特徴とする屋外配管カバーの建屋への接続構造が提案されている。
【特許文献１】特開平  ５−２６３５１６号公報（特許請求の範囲、図１）
【特許文献２】特開平  ６−２６５０５８号公報（特許請求の範囲）
【特許文献３】特開平  ８−    ４９５１号公報（特許請求の範囲）
【発明の開示】
【発明が解決しようとする課題】
【０００５】
給排水管の屋外配管における雨水などの浸入防止のため、前記特許文献２や同特許文献３に記載のような手段を使用することは、構成自体が複雑であるとともに、その取付け作業も容易ではなく、工事費用も嵩むなど解決すべき多くの課題がある。
【０００６】
この発明はかかる現状に鑑み、トイレや浴室などの給排水設備との接続がきわめて容易であって、建築構造体に形成された給排水管の挿通孔などから雨水などが浸入する危険性が殆んどなく、しかも施工が容易な給排水管の接続構造を提供せんとするものである。
【課題を解決するための手段】
【０００７】
前記の目的を達成するため、この発明の給排水管の接続構造は、
所要の大きさのパネル主体と、屋内に設置される給排水設備と屋外に配設される給排水管とを接続するための１以上のスリーブとからなるものであって、
前記スリーブは、屋外側に位置する先端部の近傍にフランジが一体的に形成され、
前記フランジの表面がパネル主体の表面に位置するよう、前記スリーブをパネル主体に貫通固着したこと
を特徴とするものである。
【０００８】
また、この発明の請求項２に記載の発明は、
請求項１に記載の給排水管の接続構造において、
前記パネル主体は、
表面に突出したスリーブのフランジを覆って表面に防水シートが張設されること
を特徴とするものである。
【０００９】
また、この発明の請求項３に記載の発明は、
請求項１に記載の給排水管の接続構造において、
前記パネル主体は、
構造用合板または構造用パネルからなること
を特徴とするものである。
【発明の効果】
【００１０】
この発明の給排水管の接続構造は、屋内に設置された給排水設備の近傍の躯体に形成された開口部にパネル主体を取付け、このパネル主体に貫通保持されたスリーブの屋内側の基端に給排水設備に設けられた配管を接続し、屋外側に顕出したスリーブの先端部には、あらかじめ屋外配管されている給排水管の管端をそれぞれ接続することによって、給排水設備に対し屋外から給水を行い、汚水は屋内を経由することなく直接屋外に排水可能とするものである。
【００１１】
特に、この発明の給排水管の接続構造においては、コンクリート躯体や木造家屋の壁面を構成する壁パネルなどの建物構造体の開口部に装着するパネル主体に、給排水に必要なスリーブを貫通保持するに際し、屋外側に顕出する各スリーブの先端部にフランジを一体的に形成し、このフランジをパネル主体の表面に配置させたので、パネル主体に形成されたスリーブを貫通させるための貫通孔をフランジが一義的に塞ぐため、雨水などが貫通孔に浸入し難しい。また、後処理に際し、前記フランジを覆って防水シートをパネル主体の表面に張設することによって、雨水などの貫通孔への浸入をほぼ完全に防止できる。
【００１２】
さらに、配管に際しては、パネル主体に装着されたスリーブに対して、給排水設備の配管を接続するだけでよいので、施工が簡単で、構造自体がきわめて簡易であるので、誰もが容易に利用できるなど実用上多大の利点がある。
【発明を実施するための最良の形態】
【００１３】
この発明の給排水管の接続構造は、トイレや浴室などにおける給排水設備の配置する屋内と、この屋内と接する屋外とを区画する建築構造体の壁面に形成される開口部に装着されるものであって、パネル主体と、このパネル主体に貫通保持されるスリーブとから構成され、前記スリーブは、屋外側の管端近傍にフランジが一体的に形成されていることを要旨とするもので、この要旨を変更しない範囲において、この発明の給排水管の接続構造は、種々変更を加えることができるものである。
以下、この発明の給排水管の接続構造を、添付の図面に基づいて具体的に説明するに、図１は、この発明にかかる給排水管の接続構造の一例を示す斜視図、図２は使用状態の一例を示す概略説明図である。
図１において、１はこの発明の給排水管の接続構造を示し、所要の大きさと厚みとを有するパネル主体２と、このパネル主体２に貫通保持される１以上の所要長さと径とを有するスリーブ３，４，５とから構成されるものである。
【００１４】
前記パネル主体２は、木造の戸建住戸あるいは鉄筋コンクリート製の集合住宅などの、建築構造体の壁面に形成される開口部の大きさに適合する大きさと、必要な強度を維持するための厚みを有するもので、基本的には構造用合板や構造用パネルで、前記開口部の形状に合わせて成型されるものであるが、その材質には特段の制限はないものである。
【００１５】
このパネル主体２に貫通保持されるスリーブは、屋外に配備される給排水施設の給水管および排水管と接続可能な２本が基本となるが、配水管のみでもよく、要は用途に応じて必要な本数を取り付ければよく、図１においては、排水用スリーブ３と、給水用スリーブ４および電源用スリーブ５の３本が配設されている。
【００１６】
各スリーブは、それぞれ用途に応じた径を有するもので、いずれも硬質塩化ビニル樹脂製で、その素材は樹脂以外であってもよいが、各スリーブ３，４，５は、屋外側の管端近傍にフランジ３ａ，４ａ，５ａを一体的に形成する必要上、樹脂材料で成型することが好ましいものである。
【００１７】
そして、これら各スリーブ３，４，５は、いずれも前記パネル主体２に形成された各貫通孔（図示せず）に、フランジ３ａ，４ａ，５ａが、パネル主体２の表面、すなわち屋外側になるようにして挿通し、その周囲に接着剤などを塗布して両者を一体的に固着するもので、各スリーブ３，４，５はパネル主体２に対して直交させることが基本であるが、取り付け位置によっては、パネル主体２に対して一定の角度で固定することもある。
【００１８】
かかる構成からなるこの発明の給排水管の接続構造１は、たとえば、以下のようにして使用するものである。
【００１９】
すなわち、図２に示すように、土台（図示せず）上に設けられた間柱６，７に形成された開口部Ａの屋外側に、前記給排水管の接続構造１を構成するパネル主体２を釘などの緊締具を使用して固着するものであるが、このパネル主体２には、基端部がトイレの配水管（図示せず）と接続し、先端部が屋外に配設された排水本管８と接続するスリーブ３が、フランジ３ａを屋外側に位置する状態で貫通保持されているが、給水用、電源用のスリーブは図示を省略している。
【００２０】
ついで、屋外側からパネル主体２の表面全体に防水シート９を張設する。その際、防水シート９には、各スリーブ３，４，５の取付け位置と対応させてそれぞれ各スリーブを貫通させるための透孔が形成されているので、この防水シート９によって、各スリーブ３，４，５のフランジ３ａ，４ａ，５ａの表面が完全に被覆され、雨水等が屋内に浸入するおそれが解消される。
【００２１】
かくしてパネル主体２の表面への防水シート９の張設が完了すると、この防水シート９の表面から各間柱６，７に対して胴縁１０，１１を、それぞれ釘などを使用して固着したのち、その表面にサイディング材（外壁仕上材）１２を張設して外壁を構成するもので、前記サイディング１２の、パネル主体２のスリーブ３に対応する部位には、透孔１２ａが形成されているので、サイディング材１２の取付け後に、スリーブ３と透孔１２ａに形成される隙間にコーキング材１３を充填して雨水などが外壁内に侵入することを防止する。
【００２２】
このようにして構造物の壁面に設けられた給排水管の接続構造１は、パネル主体２に貫通保持されたスリーブ３の先端部を排水本管８に、基端部は接続管を介してトイレの排水口に接続することによって、トイレからの排水を、屋内を経由することなく直接屋外に排水させることができるもので、排水の際に騒音を可及的に減少させ、屋内配管に伴うスペースの無駄を省くなど実用上多くの利点を有するものである。
【００２３】
なお、この実施の形態においては、排水についてのみ説明しているが、洗面化粧台、ユニットバス、システムキッチン、パイプファン等の換気扇、給排気口など色々な用途に応用することができ、いずれの場合にも、外壁貫通部の防水性能を大幅に向上させることができるものである。
【図面の簡単な説明】
【００２４】
【図１】この発明にかかる給排水管の接続構造の一例を示す斜視図である。
【図２】図１に示す接続構造の使用状態の一例を示す概略説明図である。
【符号の説明】
【００２５】
１          給排水管の接続構造
２          パネル主体
３，４，５  スリーブ
３ａ        フランジ
４ａ        フランジ
５ａ        フランジ
６，７      間柱
８          排水本管
９          防水シート
１０，１１  胴縁
１２        サイディング材
【図１】
2005133836.tif 000003
【図２】
2005133836.tif 000004